(57)【要約】【課題】用紙へのパンチ加工を施す際にパンチ処理機の種類と反転装置の有無に応じて用紙の画像形成を制御することで、所望の位置にパンチ処理を施し、かつ、積載時にページ順となるように用紙を排紙することができる画像形成装置本体又は画像形成システムを提供する。【解決手段】搬送方向先端側にパンチを施す先端パンチ処理機又は搬送方向後端側にパンチを施す後端パンチ処理機、及び、後処理装置と間接的又は直接的に接続可能な画像形成装置本体において、通信部により取得された後処理装置の接続情報に基づいて、パンチ処理機の種類及び記録媒体を表裏反転して搬送する反転装置の接続の有無を判断し、当該判断結果に応じて記録媒体へ画像形成する画像データの配置を制御する。【選択図】図５
2010188607.tif 000002
【特許請求の範囲】
【請求項１】
記録媒体の搬送方向先端側にパンチを施す先端パンチ処理機又は搬送方向後端側にパンチを施す後端パンチ処理機、及び、後処理装置と間接的又は直接的に接続可能な画像形成装置本体において、
画像データを入力する画像入力部と、
入力された画像データを記憶する記憶部と、
画像データに基づいて記録媒体上に画像を形成する画像形成部と、
接続されたパンチ処理機及び後処理装置と通信を行い、前記パンチ処理機の接続情報及び前記後処理装置の接続情報を取得する通信部と、
前記通信部により取得された接続情報に基づいて、パンチ処理機の種類及び記録媒体を表裏反転して搬送する反転装置の接続の有無を判断し、当該判断結果に応じて記録媒体へ画像形成する画像データの配置を制御する制御部と、を有することを特徴とする画像形成装置本体。
【請求項２】
前記制御部は、前記判断結果に応じて、記録媒体への画像データの出力順及び形成する画像の向きを決定することを特徴とする請求項１に記載の画像形成装置本体。
【請求項３】
前記先端パンチ処理機または前記後端パンチ処理機による画像データの配置に対するパンチ位置を設定するパンチ位置設定手段を備え、
前記制御部は、前記パンチ位置設定手段により取得したパンチ位置情報と前記判断結果とに応じて記録媒体へ画像形成する画像データの配置を制御することを特徴とする請求項１又は請求項２に記載の画像形成装置本体。
【請求項４】
異なる向きの前記記録媒体を収納可能な複数の収納部を備え、
前記パンチ位置情報と前記判断結果に応じて前記複数の収納部の１つから前記記録媒体を給紙することを特徴とする請求項３に記載の画像形成装置本体。
【請求項５】
前記反転装置は前記パンチ処理機よりも記録媒体搬送路の下流側に位置することを特徴とする請求項１〜請求項４のいずれか１項に記載の画像形成装置本体。
【請求項６】
前記制御部は、前記反転装置が接続されていないと判断した場合には、前記記録媒体に前記画像形成装置本体からページ番号が若い画像データが下向きに形成されるフェイスダウンで排出されるように記録媒体へ画像形成する画像データの配置を制御することを特徴とする請求項１〜５のいずれか１項に記載の画像形成装置本体。
【請求項７】
前記制御部は、前記反転装置が接続されている判断した場合には、前記記録媒体に前記画像形成装置本体からページ番号が若い画像データが上向きに形成されるフェイスアップで排出されるように前記画像形成部を制御することを特徴とする請求項１〜５のいずれか１項に記載の画像形成装置本体。
【請求項８】
請求項１〜７のいずれか１項に記載の画像形成装置本体、前記先端パンチ処理機または前記後端パンチ処理機、並びに、前記後処理装置を有することを特徴とする画像形成システム。
【発明の詳細な説明】
【技術分野】
【０００１】
本発明は、記録媒体上に画像を形成する複写機やプリンタ等の画像形成装置本体及び該画像形成装置本体に後処理装置が接続された画像形成システムに係り、特に、ユーザの所望したパンチ位置にパンチ加工をすべく、画像形成装置本体により画像を適正な向きに形成するための技術に関する。
【背景技術】
【０００２】
従来から、複写機や印刷装置等の画像形成装置本体と、折り加工、糊付け製本、ステイプル加工、パンチ加工等の後処理装置とを接続し、画像形成装置本体から排紙される記録媒体である用紙の体裁を後処理装置で整えることが可能な画像形成システムが知られている。
【０００３】
例えば、用紙に穴を開けるパンチ加工を施す際には、画像形成装置本体にパンチ処理機を接続し、パンチ処理機が画像形成装置本体から排紙された用紙に１枚ずつパンチ加工を施している。
【０００４】
このようなパンチ加工を施すにあたり、用紙のパンチ位置としては、例えば、ユーザの所望に応じて右パンチ、左パンチ、上パンチなどが設定できる。
【０００５】
一方、原稿画像の向きとしては、短辺を水平とし長辺を垂直にしたときを基準とするポートレート（所謂、縦置き）、短辺を垂直とし長辺を水平にしたときを基準とするランドスケープ（所謂、横置き）が存在し、画像に応じて使い分けられている。
【０００６】
このため、所望の位置にパンチ加工を施すには、ユーザはパンチ位置や原稿画像の向きなどを考慮して原稿をセットしなければならないため、非常に煩雑な作業となり、原稿のセット方向の誤りによるミスプリントの増加や作業効率の低下を引き起こす要因となっていた。
【０００７】
上記の問題の解決策として、特許文献１には、用紙の搬送方向後端にステイプル加工を施すソータと接続された画像形成装置本体において、ユーザにより入力された原稿画像の向きやステイプル位置などの入力情報に基づいて原稿画像データの回転の要否を判断し、用紙上に画像を形成することが開示されている。そして、この特許文献１には、ステイプル処理の代わりにパンチ処理にも適用可能であると記載されており、パンチ処理の場合においても同様の制御を実行できる。
【０００８】
特許文献２には、用紙の搬送方向後端にパンチ加工を施す穿孔手段と接続された画像形成装置本体において、ユーザにより入力されたパンチ位置とインデックス紙のタブ位置の入力情報に基づいて原稿画像データの回転の要否を判断し、用紙上に画像を形成することが開示されている。
【先行技術文献】
【特許文献】
【０００９】
【特許文献１】特開平９−３４２００号公報
【特許文献２】特開２００７−１７７０４号公報
【発明の概要】
【発明が解決しようとする課題】
【００１０】
ところで、パンチ処理機の種類としては、用紙の搬送方向先端側にパンチ加工を施す先端パンチ処理機、用紙の搬送方向後端側にパンチ加工を施す後端パンチ処理機があり、両パンチ処理機の何れにも接続可能な画像形成装置本体が知られている。
【００１１】
このような画像形成装置本体を用いて画像形成システムを構築する場合、接続されるパンチ処理機の種類はユーザ毎に異なり、接続したパンチ処理機の種類に応じてパンチ位置と画像の向きとの関係も変化してしまう。すなわち、所望の位置にパンチ加工を施すことができなくなってしまう虞がある。
【００１２】
特許文献１、２はパンチ位置に応じて適切な向きに画像を形成するものであるが、後端側にパンチ加工を施すことを前提としており、仮に、先端側にパンチ加工を施す先端パンチ処理機に付け替えた場合にはユーザが指定したパンチ位置にパンチ加工を施すことができなくなるという問題がある。
【００１３】
一方、上記画像形成システムにおいては、ステイプル処理装置やくるみ製本機などの後処理装置をパンチ処理機の用紙搬送方向下流側に設置する場合、生産性を向上させるという理由から、用紙の表裏を反転する反転装置をパンチ処理機と後処理装置との間に接続可能なものも開発されている。
【００１４】
このような画像形成システムでは、所望の位置にパンチ処理を施し、且つ、ページ順で用紙を排紙トレイに積載させるためには、上記したパンチ処理機の種類に加えて、反転装置の接続有無による用紙の表裏反転有無も考慮した上で出力設定をしなければならず、ユーザによる出力設定が一層困難になってしまうという問題があった。
【００１５】
本発明は、上記課題に鑑みて成されたものであって、用紙へのパンチ加工を施す際にパンチ処理機の種類と反転装置の有無に応じて用紙の画像形成を制御することで、所望の位置にパンチ加工を施し、かつ、積載時にページ順となるように用紙を排紙することができる画像形成装置本体又は画像形成システムを提供することを目的とする。
【課題を解決するための手段】
【００１６】
上記の目的は、下記に記載する発明により達成される。
【００１７】
１．記録媒体の搬送方向先端側にパンチを施す先端パンチ処理機又は搬送方向後端側にパンチを施す後端パンチ処理機、及び、後処理装置と間接的又は直接的に接続可能な画像形成装置本体において、
画像データを入力する画像入力部と、
入力された画像データを記憶する記憶部と、
画像データに基づいて記録媒体上に画像を形成する画像形成部と、
接続されたパンチ処理機及び後処理装置と通信を行い、前記パンチ処理機の接続情報及び前記後処理装置の接続情報を取得する通信部と、
前記通信部により取得された接続情報に基づいて、パンチ処理機の種類及び記録媒体を表裏反転して搬送する反転装置の接続の有無を判断し、当該判断結果に応じて記録媒体へ画像形成する画像データの配置を制御する制御部と、を有することを特徴とする画像形成装置本体。
【００１８】
２．前記制御部は、前記判断結果に応じて、記録媒体への画像データの出力順及び形成する画像の向きを決定することを特徴とする前記１に記載の画像形成装置本体。
【００１９】
３．前記先端パンチ処理機または前記後端パンチ処理機による画像データの配置に対するパンチ位置を設定するパンチ位置設定手段を備え、
前記制御部は、前記パンチ位置設定手段により取得したパンチ位置情報と前記判断結果とに応じて記録媒体へ画像形成する画像データの配置を制御することを特徴とする前記１又は前記２に記載の画像形成装置本体。
【００２０】
４．異なる向きの前記記録媒体を収納可能な複数の収納部を備え、
前記パンチ位置情報と前記判断結果に応じて前記複数の収納部の１つから前記記録媒体を給紙することを特徴とする前記３に記載の画像形成装置本体。
【００２１】
５．前記反転装置は前記パンチ処理機よりも記録媒体搬送路の下流側に位置することを特徴とする前記１〜前記４のいずれか１項に記載の画像形成装置本体。
【００２２】
６．前記制御部は、前記反転装置が接続されていないと判断した場合には、前記記録媒体に前記画像形成装置本体からページ番号が若い画像データが下向きに形成されるフェイスダウンで排出されるように記録媒体へ画像形成する画像データの配置を制御することを特徴とする前記１〜５のいずれか１項に記載の画像形成装置本体。
【００２３】
７．前記制御部は、前記反転装置が接続されている判断した場合には、前記記録媒体に前記画像形成装置本体からページ番号が若い画像データが上向きに形成されるフェイスアップで排出されるように前記画像形成部を制御することを特徴とする前記１〜５のいずれか１項に記載の画像形成装置本体。
【００２４】
８．前記１〜７のいずれか１項に記載の画像形成装置本体、前記先端パンチ処理機または前記後端パンチ処理機、並びに、前記後処理装置を有することを特徴とする画像形成システム。
【発明の効果】
【００２５】
本発明によれば、画像形成装置本体によりパンチ処理機の種類と反転装置の有無を判断し、画像データの配置を制御するので、ユーザは煩雑な設定をせずに所望するパンチ位置へパンチ加工を施すことができる。これにより、ユーザの作業効率を向上し、ミスプリントを低減することが可能となる。
【図面の簡単な説明】
【００２６】
【図１】画像形成システム３の構成図である。
【図２】画像形成システム３の機能的構成を示したブロック図である。
【図３】操作部１５０における表示画面６００の説明図である。
【図４】パンチ位置設定画面７００の説明図である。
【図５】接続情報の取得方法を示したフローチャートである。
【図６】画像形成システム１の構成を示した図である。
【図７】画像形成システム１での画像及び用紙の向きとパンチ位置との関係を示した図である。
【図８】画像形成システム１の処理動作を示した図である。
【図９】画像形成システム２の構成を示した図である。
【図１０】画像形成システム２での画像及び用紙の向きとパンチ位置との関係を示した図である。
【図１１】画像形成システム２の処理動作を示した図である。
【図１２】画像形成システム３の構成を示した図である。
【図１３】画像形成システム３での画像及び用紙の向きとパンチ位置との関係を示した図である。
【図１４】画像形成システム３の処理動作を示した図である。
【図１５】画像形成システム４の構成を示した図である。
【図１６】画像形成システム４での画像及び用紙の向きとパンチ位置との関係を示した図である。
【図１７】画像形成システム４の処理動作を示した図である。
【図１８】ユーザが原稿トレイ１４２に用紙をセットする際の説明図である。
【発明を実施するための形態】
【００２７】
以下、本発明の実施形態について図を参照して説明するが、本発明は以下の実施形態に限定されない。
【００２８】
先ず、本発明の実施形態に係る代表的な画像形成システム１〜４の構成について説明する。
【００２９】
画像形成システム１の構成は、図６に示すように、画像形成装置本体１００、先端パンチ処理機２００、第１後処理装置４００、第２後処理装置５００、排紙トレイ５３０を有する構成である。画像形成システム２の構成は、図９に示すように、画像形成装置本体１００、後端パンチ処理機８００、第１後処理装置４００、第２後処理装置５００、排紙トレイ５３０を有する構成である。画像形成システム３の構成は、図１２に示すように、画像形成装置本体１００、先端パンチ処理機２００、反転装置３００、第１後処理装置４００、第２後処理装置５００、排紙トレイ５３０を有する構成である。画像形成システム４の構成は、図１５に示すように、画像形成装置本体１００、後端パンチ処理機８００、反転装置３００、第１後処理装置４００、第２後処理装置５００、排紙トレイ５３０を有する構成である。
【００３０】
画像形成システム１〜４はそれぞれ構成が異なるが、画像形成装置本体１００、先端パンチ処理機２００、後端パンチ処理機８００、反転装置３００、第１後処理装置４００、第２後処理装置５００の各装置単体の機能、及び、各装置間の接続情報と制御信号のやり取りである機能的構成については、画像形成システム１〜４でほぼ同様である。そのため、画像形成システム１〜４の構成については画像形成システム３を代表して説明する。
【００３１】
画像形成システム３の構成について詳細に説明する。図１は画像形成システム３の構成である。図１に示すように、画像形成システム３は、画像形成装置本体１００、先端パンチ処理機２００、反転装置３００、第１後処理装置４００、第２後処理装置５００、排紙トレイ５３０を有する。
【００３２】
画像形成装置本体１００は、収納部１２１、１２２、画像形成部１３０、画像読取部１４０、自動原稿搬送部１４１、原稿トレイ１４２、操作部１５０、排紙ローラ１９１、排紙口１９２等を備える。また、画像形成装置本体１００には、記録媒体である用紙の搬送路として収納部１２１、１２２から画像形成部１３０に給紙を行う用紙搬送路Ｒ１０１、画像形成部１３０から排紙ローラ１９１を経て排紙口１９２に至る用紙搬送路Ｒ１０２、用紙の表裏反転を行う用紙搬送路Ｒ１０３が設けられている。ここでいう、用紙搬送路とは、本発明における「記録媒体搬送路」のことである。
【００３３】
収納部１２１、１２２には、異なる用紙サイズ、異なる向きの用紙を収納可能であり、画像形成前の用紙を用紙種別（用紙の種類、用紙のサイズ、タブ付きの有無等）毎に収納される。ここでいう用紙の種類には、普通紙、再生紙、上質紙、厚紙等があり、用紙のサイズには、例えば、Ａ４（横長のＡ４用紙であるＡ４横、縦長のＡ４用紙であるＡ４縦）、Ａ５等がある。
【００３４】
画像形成部１３０は、画像データに基づいて露光部（図示せず）から発せられるレーザービームにより感光体１３１を露光走査し、静電潜像を形成する。次いで、現像部（図示せず）によりトナーを感光体１３１に吸着させ、転写部（図示せず）においてトナーを用紙に転写する。そして、定着部１３２において、用紙にトナーを熱定着させることにより画像を形成する。上述したように、画像形成部１３０は、いわゆる電子写真プロセスにより用紙に画像形成を行う構成を示したが、インクジェット方式、熱転写方式等により用紙に画像形成を行ってもよい。
【００３５】
画像入力部である画像読取部１４０は、原稿トレイ１４２等に配置された原稿を画像データとして読取る。具体的には、読取台（図示せず）に配置された原稿に光源からの光を照射し、当該原稿から反射した反射光をＣＣＤ（Ｃｈａｒｇｅ  Ｃｏｕｐｌｅｄ  Ｄｅｖｅｉｃｅ）により読取る。自動原稿搬送部１４１を使用する場合には、当該自動原稿搬送部１４１の原稿トレイ１４２に配置された原稿束から原稿が１枚ずつ画像読取部１４０の読取台に搬送され、画像が読取られる。なお、画像入力部はパーソナルコンピュータにもなりうる。その際、画像形成装置本体１００は、図示しないインターフェイスを介してパーソナルコンピュータから送信された画像データを受信する。
【００３６】
操作部１５０は、数字キーやスタートキー、画像形成に関する各種設定を行うための機能キー等の各種操作キーを備える。また、操作部１５０は、ＬＣＤ（Ｌｉｑｕｉｄ  Ｃｒｙｓｔａｌ  Ｄｉｓｐｌａｙ）等の表示画面と一体的に形成されたタッチパネルを備える。タッチパネルでは、ユーザの指先やタッチペン等により接された位置を検出し、ユーザからの操作指示を受け付ける。
【００３７】
画像形成システム３では、ユーザが操作部１５０の操作キーやタッチパネルを操作することで、画像形成システム３の画像形成に係る指示を行うことができる。また、画像形成システム３では、操作部１５０に画像形成システム３の動作状況や各種設定状況を表示することで、画像形成システム３の動作状態等をユーザに知らしめることができる。
【００３８】
操作部１５０による画像形成に係る指示とは、所謂、印刷条件のことであり、画像の濃度や倍率、画像形成すべき用紙種別、用紙の両面又は片面への画像形成、画像形成後の用紙に行う後処理の種別（パンチ加工、ステイプル加工等）、機外へ用紙を排紙する際の排紙面等を含む。
【００３９】
ここでいう排紙面とは、機外に排紙された用紙の上面のことである。例えば、用紙上に原稿表面（あるいはページ番号が若い画像データ）として画像形成された面を上にして排紙する場合の排紙面はフェイスアップ（ＦａｃｅＵｐ）である。逆に、用紙上に原稿表面（あるいはページ番号が若い画像データ）として画像形成された面を下にして配置する場合の排紙面はフェイスダウン（ＦａｃｅＤｏｗｎ）である。
【００４０】
排紙ローラ１９１は、モータ等の駆動源（図示せず）により回転駆動する。排紙ローラ１９１は、回転駆動することで、画像形成が行われた用紙を排紙口１９２に搬送する。
【００４１】
先端パンチ処理機２００は、画像形成装置本体１００と反転装置３００との間に設置される。先端パンチ処理機２００は、用紙を搬送するため、モータ等の駆動源（図示せず）に接続された搬送ローラ２０１〜２０４、搬送ローラ２１１〜２１９、搬送ローラ２２１、２２２、及び、パンチ加工部２２０と、サブトレイ２３１と、を有している。パンチ加工部２２０は、搬送される用紙の当該搬送方向の先端側にパンチ加工を行う。サブトレイ２３１は、外部に排紙した用紙を集積して配置するトレイである。
【００４２】
先端パンチ処理機２００における用紙の搬送経路としては、搬送ローラ２０１，２０２，２０３，２０４の順に用紙が搬送される用紙搬送路Ｒ２０１と、搬送ローラ２０１，２１１〜２１９、２０４の順に用紙が搬送される用紙搬送路Ｒ２０２と、搬送ローラ２０１、２２１、２２２の順に用紙が搬送される用紙搬送路Ｒ２０３と、がある。
【００４３】
用紙搬送路Ｒ２０１は、先端パンチ処理機２００を介して画像形成装置本体１００から搬送された用紙をパンチ加工せずに、先端パンチ処理機２００に続いて設置される反転装置３００へ排紙する経路である。このように、先端パンチ処理機２００は、用紙搬送路Ｒ２０１を介して用紙を搬送することで、用紙に対してパンチ加工を行うことなく反転装置３００へ排紙することができる。
【００４４】
用紙搬送路Ｒ２０２は、その経路途上にパンチ加工部２２０が設けられており、画像形成装置本体１００から排紙された用紙に前述したパンチ加工をすることが可能である。このように、先端パンチ処理機２００は、用紙搬送路Ｒ２０２を介して用紙を搬送することで、パンチ加工部２２０により当該用紙の搬送方向先端側にパンチ加工を施して、反転装置３００へ用紙を排紙することができる。
【００４５】
用紙搬送路Ｒ２０３は、先端パンチ処理機２００を介して画像形成装置本体１００から排紙された用紙をそのままサブトレイ２３１へ排紙する経路である。このように、先端パンチ処理機２００は、用紙搬送路Ｒ２０３を介して用紙を搬送することで、画像形成装置本体１００による画像形成後の用紙を外部に排紙し、サブトレイ２３１へ用紙を集積することができる。
【００４６】
反転装置３００は、先端パンチ処理機２００と第１後処理装置４００との間に設置される。反転装置３００は、用紙を搬送するため、モータ等の駆動源（図示せず）に接続された搬送ローラ３０１〜３０６、複数枚の用紙を滞留させる反転ストッパ３２１を有している。反転装置３００は、この搬送ローラ３０１〜３０６により、先端パンチ処理機２００から排紙された用紙を受け取り、第１後処理装置４００へ搬送する。
【００４７】
反転ストッパ３２１は、搬送される用紙を順次重ねてストックし、複数枚の用紙を搬送順に滞留させる。反転装置３００は、この反転ストッパ３２１によって複数枚の用紙を滞留した場合、当該複数枚の用紙束を第１後処理装置４００へ搬送する。
【００４８】
反転装置３００における用紙の搬送経路としては、搬送ローラ３０１、３０２、３０３の順に用紙が搬送される用紙搬送路Ｒ３０１と、搬送ローラ３０１、３０４、３０５、３０６、３０３の順に用紙が搬送される用紙搬送路Ｒ３０２と、がある。
【００４９】
用紙搬送路Ｒ３０１は、先端パンチ処理機２００から第１後処理装置４００まで表裏反転を行うことなく直に用紙を搬送する経路である。このように、反転装置３００は、この用紙搬送路Ｒ３０１を介して用紙を搬送することで、先端パンチ処理機２００から排紙された用紙の表裏状態を反転することなく第１後処理装置４００へ用紙を搬送することができる。
【００５０】
用紙搬送路Ｒ３０２は、先端パンチ処理機２００から第１後処理装置４００に用紙を搬送する際に、搬送方向の先端側から用紙を一旦引き入れ、その後端側から引き出す時に用紙の表裏反転を行う表裏反転機構としての経路である。このように、反転装置３００は、この用紙の表裏反転機構としての用紙搬送路Ｒ３０２を介して用紙を搬送することで、先端パンチ処理機２００から排紙された用紙の表裏状態を反転して第１後処理装置４００へ用紙を搬送することができる。
【００５１】
また、用紙搬送路Ｒ３０２は、反転ストッパ３２１を有しており、搬送方向の先端側から用紙を一旦引き入れた際に順次用紙をストック可能となっている。このように、反転装置３００は、この用紙搬送路Ｒ３０２を介して用紙を搬送し、反転ストッパ３２１により複数枚の用紙を滞留させた場合、当該複数枚の用紙束の表裏状態を反転して第１後処理装置４００へ搬送することができる。
【００５２】
第１後処理装置４００、及び、第２後処理装置５００は、例えば、糊付け製本、中綴じ製本、折り加工等のいわゆる後処理を行い、ユーザの要望によって種々の後処理装置を設置することが可能である。なお、本発明の実施形態では、パンチ処理機及び反転装置以外に後処理装置を２つ設けたが、ユーザの要望に応じて単数又は複数設置可能であり、２つに限定されない。
【００５３】
以上、画像形成システム３の構成について説明した。前述した通り、後述する画像形成システム１、２、４の構成と画像形成システム３の構成との相違は、パンチ処理機の種類（先端パンチ処理機２００又は後端パンチ処理機８００）、及び、反転装置３００の有無であるため、画像形成システム１、２、４の構成についての詳細な説明は省略する。
【００５４】
また、画像形成システム１〜４は、複数の装置が接続された画像形成システム構成であるが、当該複数の装置の各々を一つの装置として有する一つの画像形成装置本体であってもよい。
【００５５】
次に、画像形成システム３の機能的構成について図２のブロック図を用いて説明する。これは、本発明における「通信部」の周辺の構成を示している。
【００５６】
図２に示すように、画像形成装置本体１００の通信部１８０と先端パンチ処理機２００の通信部２８０は通信線Ｌ１により互いに通信可能に接続される。また、先端パンチ処理機２００の通信部２８０と反転装置３００の通信部３８０は通信線Ｌ２により互いに通信可能に接続される。また、反転装置３００の通信部３８０と第１後処理装置４００の通信部４８０は通信線Ｌ３により互いに通信可能に接続される。また、第１後処理装置４００の通信部４８０と第２後処理装置５００の通信部５８０は通信線Ｌ４により互いに通信可能に接続される。
【００５７】
すなわち、画像形成システム３は、画像形成装置本体１００、先端パンチ処理機２００、反転装置３００、第１後処理装置４００と第２後処理装置５００が通信線Ｌ１、Ｌ２、Ｌ３とＬ４により接続される構成である。なお、画像形成システム３の接続レイアウトについては、例えば、スター型に接続される構成であってもよく、特に限定されない。また、画像形成システム３の通信は通信線Ｌ１、通信線Ｌ２、通信線Ｌ３と通信線Ｌ４による有線通信以外に、無線や赤外線を用いた通信であってもよい。
【００５８】
画像形成装置本体１００は、ＣＰＵ１１０、ＲＡＭ１１１、ＲＯＭ１１２、搬送部１２０、画像形成部１３０、画像読取部１４０、操作部１５０、排紙部１９０を備える構成である。画像形成装置本体１００の各部はバス１６０を介して接続される。
【００５９】
ＣＰＵ（Ｃｅｎｔｒａｌ  Ｐｒｏｃｅｓｓｉｎｇ  Ｕｎｉｔ）１１０は、画像形成装置本体１００の各部を統括的に制御する。つまり、ＣＰＵ１１０は本発明における「制御部」に相当する。また、ＣＰＵ１１０は、ＲＯＭ１１２（Ｒｅａｄ  Ｏｎｌｙ  Ｍｅｍｏｒｙ）に記憶されている各種プログラムデータの中から指定されたプログラムデータをＲＡＭ１１１（Ｒａｎｄｏｍ  Ａｃｃｅｓｓ  Ｍｅｍｏｒｙ）に展開し、当該ＲＡＭ１１１に展開されたプログラムデータとの協働で、各種処理を実行する。
【００６０】
また、ＲＡＭ１１１は、画像形成装置本体１００が画像読取部１４０を介して画像を読み込んだ際の画像データを記憶する。つまり、ＲＡＭ１１１は、本発明における「記憶部」に相当する。
【００６１】
具体的には、ＣＰＵ１１０は操作部１５０から入力された印刷条件に基づいてＲＡＭ１１１に格納された画像データを処理し（例えば、画像の濃度や倍率等の処理）、画像形成部１３０による画像形成を制御する。また、ＣＰＵ１１０は、操作部１５０から入力された印刷条件に基づいて、画像形成装置本体１００と接続された各装置へ制御信号を出力する。ここでいう制御信号とは、例えば、画像形成部１３０により画像形成された用紙に対して、表裏反転やパンチ加工（詳細は後述する）といった後処理装置を制御するための信号のことである。
【００６２】
搬送部１２０は、前述した用紙搬送路Ｒ１０１、Ｒ１０２、Ｒ１０３と、ＣＰＵ１１０の制御の下で駆動するモータ等の駆動源（図示せず）を有し、ＣＰＵ１１０の制御の下、前述した用紙搬送路Ｒ１０１、Ｒ１０２、Ｒ１０３により用紙を搬送する。
【００６３】
通信部１８０は、通信線Ｌ１を介してパラレル通信又はシリアル通信を行う通信インターフェイスである。
【００６４】
排紙部１９０は、前述した排紙ローラ１９１、排紙口１９２を有する。ＣＰＵ１１０は、当該排紙部１９０を制御することにより、画像形成部１３０により画像形成された用紙を機外に排紙する。
【００６５】
先端パンチ処理機２００は、ＣＰＵ２５１、ＲＡＭ２５２、ＲＯＭ２５３、搬送部２１０、パンチ加工部２２０、排紙部２３０、通信部２８０を備える構成である。この先端パンチ処理機２００の各部はバス２６０を介して接続される。
【００６６】
ＣＰＵ２５１は、ＣＰＵ１１０から出力された制御信号に基づいて、先端パンチ処理機２００の各部を統括的に制御する。また、ＣＰＵ２５１は、ＲＯＭ２５３に記憶されている各種プログラムデータの中から指定されたプログラムデータをＲＡＭ２５２に展開し、当該ＲＡＭ２５２に展開されたプログラムデータとの協働で、各種処理を実行する。
【００６７】
具体的には、ＣＰＵ２５１は、ＣＰＵ１１０から出力された制御信号に基づいて、画像形成装置本体１００から搬送された画像形成後の用紙に対してパンチ加工を制御する。
【００６８】
また、ＣＰＵ２５１は、画像形成装置本体１００と先端パンチ処理機２００が間接的又は直接的に接続された際に、ＲＯＭ２５３に予め格納されている先端パンチ処理機２００に係る接続情報を読み出して画像形成装置本体１００へ送信する（画像形成システム３においては、先端パンチ処理機２００が直接的に画像形成装置本体１００と接続されている状態である）。これにより、画像形成装置本体１００は、接続された後処理装置が先端パンチ処理機２００であることを特定することができる。
【００６９】
ここで「接続情報」とは、パンチ処理機その他の後処理機における情報のことである。例えば先端パンチ処理機２００に係る接続情報とは、用紙に対するパンチ加工の実行位置（用紙搬送方向先端側／後端側）、パンチ処理機の機能（パンチ位置やパンチ穴数）等の自装置固有の設定情報や、画像形成システム３における先端パンチ処理機２００設置位置（画像形成装置本体１００から何台目に設置される）等の位置情報である。
【００７０】
搬送部２１０は、前述した用紙搬送路Ｒ２０１、Ｒ２０２、Ｒ２０３と、ＣＰＵ２５１の制御の下で駆動するモータ等の駆動源（図示せず）を有し、ＣＰＵ２５１の制御の下、該用紙搬送路Ｒ２０１、Ｒ２０２、Ｒ２０３により用紙を搬送する。
【００７１】
排紙部２３０は、前述したサブトレイ２３１や反転装置３００へ用紙を排紙する搬送ローラ２０４であり、ＣＰＵ２５１の制御の下、機外への用紙の排紙や自装置と接続された反転装置３００への用紙の排紙を行う。
【００７２】
反転装置３００は、ＣＰＵ３５１、ＲＡＭ３５２、ＲＯＭ３５３、搬送部３１０、反転部３２０、排紙部３３０、通信部３８０を備える構成である。この反転装置３００の各部はバス３６０を介して接続される。
【００７３】
ＣＰＵ３５１は、ＣＰＵ１１０から出力された制御信号に基づいて、反転装置３００の各部を統括的に制御する。また、ＣＰＵ３５１は、ＲＯＭ３５３に記憶されている各種プログラムデータの中から指定されたプログラムデータをＲＡＭ３５２に展開し、当該ＲＡＭ３５２に展開されたプログラムデータとの協働で、各種処理を実行する。
【００７４】
具体的には、ＣＰＵ３５１は、ＣＰＵ１１０から出力された制御信号に基づいて、画像形成装置本体１００から搬送された画像形成後の用紙を第１後処理装置４００へ搬送する際の制御を行う。また、ＣＰＵ３５１は、この用紙を第１後処理装置４００へ搬送する際に、ＣＰＵ１１０から出力された制御信号に基づいて用紙の表裏反転を制御する。
【００７５】
また、ＣＰＵ３５１は、画像形成装置本体１００と反転装置３００が間接的又は直接的に接続された際に、ＲＯＭ３５３に予め格納されている反転装置３００に係る接続情報を読み出して画像形成装置本体１００へ送信する（画像形成システム３においては、反転装置３００が間接的に画像形成装置本体１００と接続されている状態である）。これにより、画像形成装置本体１００は、接続された後処理装置が反転装置３００であることを特定することができる。
【００７６】
この反転装置３００に係る接続情報とは、反転部３２０における反転ストッパ３２１の有無等の自装置固有の設定情報や、画像形成システム３における反転装置３００の設置位置（画像形成装置本体１００から何台目に設定される）等の位置情報である。
【００７７】
搬送部３１０は、前述した用紙搬送路Ｒ３０１とＣＰＵ３５１の制御の下で駆動するモータ等の駆動源（図示せず）を有し、ＣＰＵ３５１の制御の下、先端パンチ処理機２００から排紙された画像形成後の用紙を第１後処理装置４００へ搬送する。
【００７８】
反転部３２０は、前述した用紙搬送路Ｒ３０２であり、ＣＰＵ３５１の制御の下、先端パンチ処理機２００から排紙された画像形成後の用紙を表裏反転し、排紙部３３０から第１後処理装置４００へ搬送する。
【００７９】
排紙部３３０は、前述した第１後処理装置４００へ用紙を排紙する搬送ローラ３０３であり、ＣＰＵ３５１の制御の下、自装置と接続された第１後処理装置４００へ用紙を排紙する。
【００８０】
第１後処理装置４００及び第２後処理装置５００の構成は、ユーザの要望により種々の後処理装置を選択することができるため、詳細な説明は省略する。例えば、第１後処理装置の後処理部４２０及び第２後処理装置の後処理部５２０は、糊付け製本部、中綴じ製本部、折り加工部、第２のパンチ加工部、ステイプル加工部等の様々な後処理部を選択可能である。
【００８１】
次に、ユーザが操作部１５０を介してパンチ位置を設定する際の手順を図３及び図４を用いて説明する。
【００８２】
図３に示す操作部１５０の表示画面６００は、印刷条件を設定するための画面である。ユーザは、この表示画面６００に表示された印刷条件（濃度／下地、用紙、倍率、片面／両面等、仕上げボタン６０１等）を確認し、図示しないスタートキーを押下することで、印刷出力を実行させる。
【００８３】
仕上げボタン６０１は、図４に示すパンチ位置設定画面７００を表示させるためのボタンである。パンチ加工を施したい場合、ユーザは仕上げボタン６０１を押下し、図４に示すパンチ位置設定画面７００を介してパンチ位置の設定を行う。
【００８４】
パンチ位置設定画面７００には、本発明の「パンチ位置設定手段」の一例に相当する複数のボタンが配設されている。具体的には、パンチ穴を２カ所に施す場合については、パンチ位置として用紙表面に形成された画像の左側を選択するための左側ボタン７０１と、右側を選択するための右側ボタン７０２と、上側を選択するための上側ボタン７０３とが設けられている。また、パンチ穴を３カ所に施す場合については、パンチ位置として用紙表面に形成された画像の左側を選択するための左側ボタン７０４と、右側を選択するための右側ボタン７０５と、上側を選択するための上側ボタン７０６とが設けられている。
【００８５】
ユーザは、パンチ位置設定画面７００にてパンチ位置を指定した後、図示しないスタートキーを押下することで、印刷出力を実行することができる。これにより、ユーザは所望した位置にパンチ加工が施された用紙を出力することができる。また、指定されたパンチ位置はパンチ位置情報としてＲＡＭ１１１に格納される。
【００８６】
図５は、ＣＰＵ１１０が図２で示した通信部１８０、２８０、３８０、４８０、５８０により、画像形成装置本体１００に間接的又は直接的に接続されているパンチ処理機の種類（先端パンチ処理機２００又は後端パンチ処理機８００）、反転装置３００、第１後処理装置４００及び第２後処理装置５００から接続情報を取得し、画像形成システム１〜４のいずれかに該当するかを特定するためのフローチャートである。これは、本発明における「接続情報」の取得方法を示している。
【００８７】
画像形成装置本体１００の電源がＯＮされると、ＣＰＵ１１０は各装置から接続情報を取得し、ＲＡＭ１１１に格納する（ＳＴ．１）。
【００８８】
ＣＰＵ１１０は、格納した接続情報を基に、パンチ処理機の有無を判断する（ＳＴ．２）。
【００８９】
パンチ処理機が有ければ（ＳＴ．２、有）、画像形成システムに反転装置３００が接続されているかどうかを判断する（ＳＴ．３）。
【００９０】
反転装置３００が接続されていないと判断された場合（ＳＴ．３、無）、ＣＰＵ１１０は、画像形成システムに接続されたパンチ処理機の種類を特定する（ＳＴ．４）。
【００９１】
接続されたパンチ処理機が先端パンチ処理機２００である場合（ＳＴ．４、先端）、ＣＰＵ１１０は得られた接続情報から画像形成システム１であることを特定する（ＳＴ．５）。
【００９２】
ＳＴ．４において、接続されたパンチ処理機が後端パンチ処理機８００である場合（ＳＴ．４、後端）、ＣＰＵ１１０は得られた接続情報から画像形成システム２であることを特定する（ＳＴ．６）。
【００９３】
ＳＴ．３において、反転装置３００が接続されていると判断された場合（ＳＴ．３、有）、ＣＰＵ１１０は、画像形成システムに接続されたパンチ処理機の種類を特定する（ＳＴ．７）。
【００９４】
接続されているパンチ処理機が先端パンチ処理機２００である場合（ＳＴ．７、先端）、ＣＰＵ１１０は得られた接続情報から画像形成システム３であることを特定する（ＳＴ．８）。
【００９５】
ＳＴ．７において、接続されているパンチ処理機が後端パンチ処理機８００である場合（ＳＴ．７、後端）、ＣＰＵ１１０は得られた接続情報から画像形成システム４であることを特定する（ＳＴ．９）。
【００９６】
なお、ＳＴ．２において、格納した接続情報を基にパンチ処理機が無いと判断された場合（ＳＴ．２、無）は、その他画像形成システムであることを特定する（ＳＴ．１０）。
【００９７】
このようにして、ＣＰＵ１１０は、形成されたシステムが画像形成システム１〜４のいずれかであるか特定することができるため、ユーザは画像形成システムがどのような構成になっているのか判断する必要がない。
【００９８】
例えば、画像形成システム３においては、ＣＰＵ１１０は先端パンチ処理機２００が画像形成装置本体１００から１台目に配置、反転装置３００が画像形成装置本体１００から２台目（先端パンチ処理機２００よりも用紙搬送方向に対して下流側）に配置、第１後処理装置４００が画像形成装置本体１００から３台目に配置、第２後処理装置５００が画像形成装置本体１００から４台目に配置、といった接続情報を取得し、ＲＡＭ１１１に格納する。そして、ＣＰＵ１１０は画像形成システムがどのようなシステム構成になっているかを特定することができる。
【００９９】
次に、得られた接続情報に基づいて図５のフローチャートから特定した画像形成システム１〜４の処理動作について説明する。ここでは、画像形成システム３のみならず、画像形成システム１〜４の全てのシステムについて説明する。
【０１００】
本発明の実施形態における画像形成システム１〜４は初期条件としては、Ａ４の原稿がフェイスアップで奥側を天として原稿トレイ１４２に複数枚セットされている。
【０１０１】
ここでいうフェイスアップで奥側を天とは、図１８に示すように、画像形成装置本体１００の正面を手前としたとき、原稿トレイ１４２の置側に紙面上側が配置されている状態を指す。なお、ページ番号の付与は、複数枚の原稿を原稿トレイ１４２にセットした場合には、最上位にセットされた用紙の表面を１頁目として、以下連続のページ番号を付与する。
【０１０２】
その他の初期条件として、収納部１２１、１２２にはＡ４縦とＡ４横の用紙がそれぞれ収納され、印刷は両面印刷、パンチ位置は左側に２箇所（図４における左側ボタン７０１）に設定されているとする。
【０１０３】
なお、本発明の実施形態によれば、画像形成システムの構成やパンチ位置に応じて画像の出力順や回転の有無を判断して用紙に画像形成をするため、ユーザはシステム構成やパンチ位置（左側、上側、右側）に係らず、原稿を常に統一された向きにセットすれば足りるので、システム構成やパンチ位置を気にせずに原稿をセットすることが可能となる。具体的な処理は後述する。
（画像形成システム１の説明）
図６〜図８は、画像形成システム１の処理動作を示す。具体的には、図６は上述した画像形成システム１の構成を示した概略図である。図７は画像形成装置本体１００の正面を紙面下側としてシステムの上方から見たときの画像及び用紙の向きとパンチ位置との関係を示しており、右側から順に、画像形成装置本体１００から排紙されたとき、先端パンチ処理機２００から排紙されたとき、及び、排紙トレイ５３０に積載されたときをそれぞれ示している。なお、同図において表、裏の記述は、図１８に示した原稿画像の表画像、裏画像にそれぞれ対応するものである（図１０、図１、図１６も同様）。図８は画像形成装置本体１００のＣＰＵ１１０の処理動作を示したフローチャートである。
【０１０４】
図８のフローチャートを用いて画像形成システム１の処理動作を説明する。
【０１０５】
ＣＰＵ１１０はスタートキー（図示せず）が押下されたか監視し（ＳＴ．１１）、スタートキーが押下された場合には原稿トレイ１４２にセットされた原稿の読み込みを開始する（ＳＴ．１２）。その際、読み込まれた原稿の画像データはＲＡＭ１１１に格納される。
【０１０６】
そして、ＣＰＵ１１０は、図４で説明した手順を経てＲＡＭ１１１に格納されているパンチ位置情報（左側に２箇所）と図５のＳＴ．１において接続情報から取得した判断結果（パンチ処理機の種類（先端）、反転装置の有無（無））に応じて画像形成部の制御内容を特定する（ＳＴ．１３）。ここでは、パンチ位置が左側に設定されているのでＳＴ．１４へ進む。
【０１０７】
ＣＰＵ１１０は、用紙の左側にパンチ加工を施すべくＡ４縦の用紙を給紙し、用紙の両面に画像形成を施す。具体的には、ＣＰＵ１１０は、読み込んだ原稿表面の画像データを１８０度回転させて用紙の第１面に形成し、続いて用紙搬送路Ｒ１０３で用紙の表裏反転が行われた後、１８０度回転された原稿裏面の画像データを用紙の第２面に形成する（ＳＴ．１４）。その際に、収納部１２１、１２２にＡ４縦の用紙が無い場合には、ＣＰＵ１１０は操作部１５０にユーザに対する用紙の補給を促す画面を表示する。
【０１０８】
上述のように画像形成された用紙は、図７の（１）に示すようにフェイスダウンで天地逆向きに画像形成装置本体１００から排紙される（ＳＴ．１５）。すなわち、ここでは原稿画像の向きを表裏ともに１８０度回転させ、画像の出力順として原稿の表面の画像データを先に、原稿裏面の画像データを後に形成するようにしている。
【０１０９】
ＣＰＵ１１０は全ての原稿の画像形成が終了したか判断し、終了していなければＳＴ．１３に戻り、残りの画像形成を行う（ＳＴ．２０）。
【０１１０】
画像形成装置本体１００から排紙された用紙は、先端パンチ処理機２００に搬送され、図７の（２）に示すように用紙搬送方向の先端側（つまり、用紙の表面に対して左側）にパンチ加工が施される。
【０１１１】
その後、用紙は第１後処理装置４００及び第２後処理装置５００に搬送され、各後処理装置においてユーザの要望に合った後処理が施され、排紙トレイ５３０に用紙が図７の（３）に示すようにフェイスダウンで天地逆向きに積載される。
【０１１２】
もしパンチ位置が上側（例えば、上側に２箇所）に設定された場合は、ＳＴ．１３において、ＣＰＵ１１０はパンチ位置が上側に設定されていると判断し、ＳＴ．１６へ進む。
【０１１３】
ＣＰＵ１１０は、用紙の上側にパンチ加工を施すべくＡ４横の用紙を給紙し、画像形成を施す。具体的には、ＣＰＵ１１０は、読み込んだ原稿表面の画像データを左に９０度回転させて用紙の第１面に形成し、続いて用紙搬送路Ｒ１０３で用紙の表裏反転が行われた後、左に９０度回転させた原稿裏面の画像データを用紙の第２面に形成する（ＳＴ．１６）。その際に、収納部１２１、１２２にＡ４横の用紙が無い場合には、ＣＰＵ１１０は操作部１５０にユーザに対する用紙の補給を促す画面を表示する。
【０１１４】
上述のように画像形成された用紙は、図７の（４）に示すようにフェイスダウンで用紙搬送方向を天に画像形成装置本体１００から排紙される（ＳＴ．１７）。すなわち、ここでは原稿画像の向きを表裏ともに左に９０度回転させ、画像の出力順として原稿の表面の画像データを先に、原稿裏面の画像データを後に形成するようにしている。
【０１１５】
ＣＰＵ１１０は全ての原稿の画像形成が終了したか判断し、終了していなければＳＴ．１３に戻り、残りの画像形成を行う（ＳＴ．２０）。
【０１１６】
画像形成装置本体１００から排紙された用紙は、先端パンチ処理機２００に搬送され、図７の（５）に示すように用紙搬送方向の先端側（つまり、用紙の上側）にパンチ加工が施される。
【０１１７】
その後、用紙は第１後処理装置４００及び第２後処理装置５００に搬送され、各後処理装置においてユーザの要望に合った後処理が施され、排紙トレイ５３０に用紙が図７の（６）に示すようにフェイスダウンで用紙搬送方向を天に積載される。
【０１１８】
もしパンチ位置が右側（例えば、右側に２箇所）に設定された場合は、ＳＴ．１３において、ＣＰＵ１１０はパンチ位置が右側に設定されていると判断し、ＳＴ．１８へ進む。
【０１１９】
ＣＰＵ１１０は、用紙の右側にパンチ加工を施すべくＡ４縦の用紙を給紙し、用紙の両面に画像形成を施す。具体的には、ＣＰＵ１１０は、読み込んだ原稿表面の画像データを回転させずに用紙の第１面に形成し、続いて用紙搬送路Ｒ１０３で用紙の表裏反転が行われた後、原稿裏面の画像データを用紙の第２面に形成する（ＳＴ．１８）。その際に、収納部１２１、１２２にＡ４縦の用紙が無い場合には、ＣＰＵ１１０は操作部１５０にユーザに対して用紙の補給を促す画面を表示する。
【０１２０】
上述のように画像形成された用紙は、図７の（７）に示すようにフェイスダウンで奥側を天に画像形成装置本体１００から排紙される（ＳＴ．１９）。すなわち、ここでは原稿画像の向きを表裏ともに回転させず、画像の出力順として原稿の表面の画像データを先に、原稿裏面の画像データを後に形成するようにしている。
【０１２１】
ＣＰＵ１１０は全ての原稿の画像形成が終了したか判断し、終了していなければＳＴ．１３に戻り、残りの画像形成を行う（ＳＴ．２０）。
【０１２２】
画像形成装置本体１００から排紙された用紙は、先端パンチ処理機２００に搬送され、図７の（８）に示すように用紙搬送方向の先端側（つまり、用紙の表面に対して右側）にパンチ加工が施される。
【０１２３】
その後、用紙は第１後処理装置４００及び第２後処理装置５００に搬送され、各後処理装置においてユーザの要望に合った後処理が施され、排紙トレイ５３０に用紙が図７の（９）に示すようにフェイスダウンで奥側を天に積載される。
【０１２４】
（画像形成システム２の説明）
図９〜図１１は、画像形成システム２の処理動作を示す。具体的には、図９は上述した画像形成システム２の構成を示した概略図である。図１０は画像形成装置本体１００の正面を紙面下側としてシステムの上方から見たときの画面及び用紙の向きとパンチ位置との関係を示しており、右側から順に、画像形成装置本体１００から排紙されたとき、後端パンチ処理機８００から排紙されたとき、及び、排紙トレイ５３０に積載されたときをそれぞれ示している。図１１は画像形成システム２の処理動作を示したフローチャートである。
【０１２５】
図１１のフローチャートを用いて画像形成システム２の処理動作を説明する。
【０１２６】
ここで、ＳＴ．２１〜ＳＴ．２２の処理はＳＴ．１１〜ＳＴ．１２と同じであるため説明を省略する。
【０１２７】
ＣＰＵ１１０は、ＲＡＭ１１１に格納されているパンチ位置情報（左側に２箇所）と接続情報から取得した判断結果（パンチ処理機の種類（後端）、反転装置の有無（無））に応じて画像形成部の制御内容を特定する（ＳＴ．２３）。ここでは、パンチ位置が左側に設定されているのでＳＴ．２４へ進む。
【０１２８】
ＣＰＵ１１０は、用紙の左側にパンチ加工を施すべくＡ４縦の用紙を給紙し、用紙の両面に画像形成を施す。具体的には、ＣＰＵ１１０は、読み込んだ原稿表面の画像データを回転させずに用紙の第１面に形成し、続いて用紙搬送路Ｒ１０３で用紙の表裏反転が行われた後、原稿裏面の画像データを用紙の第２面に形成する（ＳＴ．２４）。その際に、収納部１２１、１２２にＡ４縦の用紙が無い場合には、ＣＰＵ１１０は操作部１５０にユーザに対して用紙の補給を促す画面を表示する。
【０１２９】
上述のように画像形成された用紙は、図１０の（１）に示すようにフェイスダウンで奥側を天に画像形成装置本体１００から排紙される（ＳＴ．２５）。
【０１３０】
ＣＰＵ１１０は全ての原稿の画像形成が終了したか判断し、終了していなければＳＴ．２３に戻り、残りの画像形成を行う（ＳＴ．３０）。
【０１３１】
画像形成装置本体１００から排紙された用紙は、後端パンチ処理機８００に搬送され、図１０の（２）に示すように用紙搬送方向の後端側（つまり、用紙の表面に対して左側）にパンチ加工が施される。
【０１３２】
その後、用紙は第１後処理装置４００及び第２後処理装置５００に搬送され、各後処理装置においてユーザの要望に合った後処理が施され、排紙トレイ５３０に用紙が図１０の（３）に示すようにフェイスダウンで奥側を天に積載される。
【０１３３】
もしパンチ位置が上側（例えば、上側に２箇所）に設定された場合は、ＳＴ．２３において、ＣＰＵ１１０はパンチ位置が上側に設定されていると判断し、ＳＴ．２６へ進む。
【０１３４】
ＣＰＵ１１０は、用紙の上側にパンチ加工を施すべくＡ４横の用紙を給紙し、画像形成を施す。具体的には、ＣＰＵ１１０は、読み込んだ原稿表面の画像データを右に９０度回転させて用紙の第１面に形成し、続いて用紙搬送路Ｒ１０３で用紙の表裏反転が行われた後、右に９０度回転させた原稿裏面の画像データを用紙の第２面に形成する（ＳＴ．２６）。その際に、収納部１２１、１２２にＡ４横の用紙が無い場合には、ＣＰＵ１１０は操作部１５０にユーザに対して用紙の補給を促す画面を表示する。
【０１３５】
上述のように画像形成された用紙は、図１０の（４）に示すようにフェイスダウンで用紙搬送方向を地に画像形成装置本体１００から排紙される（ＳＴ．２７）。
【０１３６】
ＣＰＵ１１０は全ての原稿の画像形成が終了したか判断し、終了していなければＳＴ．２３に戻り、残りの画像形成を行う（ＳＴ．３０）。
【０１３７】
画像形成装置本体１００から排紙された用紙は、後端パンチ処理機８００に搬送され、図１０の（５）に示すように用紙搬送方向の後端側（つまり、用紙の上側）にパンチ加工が施される。
【０１３８】
その後、用紙は第１後処理装置及び第２後処理装置に搬送され、各後処理装置においてユーザの要望に合った後処理が施され、排紙トレイ５３０に用紙が図１０の（６）に示すようにフェイスダウンで用紙搬送方向を地に積載される。
【０１３９】
もしパンチ位置が右側（例えば、右側に２箇所）に設定された場合は、ＳＴ．２３において、ＣＰＵ１１０はパンチ位置が右側に設定されていると判断し、ＳＴ．２８へ進む。
【０１４０】
ＣＰＵ１１０は、用紙の右側にパンチ加工を施すべくＡ４縦の用紙を給紙し、用紙の両面に画像形成を施す。具体的には、ＣＰＵ１１０は、読み込んだ原稿表面の画像データを１８０度回転させて用紙の第１面に形成し、続いて用紙搬送路Ｒ１０３で用紙の表裏反転が行われた後、１８０度回転された原稿裏面の画像データを用紙の第２面に形成する（ＳＴ．２８）。その際に、収納部１２１、１２２にＡ４縦の用紙が無い場合には、ＣＰＵ１１０は操作部１５０にユーザに対して用紙の補給を促す画面を表示する。
【０１４１】
上述のように画像形成された用紙は、図１０の（７）に示すようにフェイスダウンで天地逆向きに画像形成装置本体１００から排紙される（ＳＴ．２９）。
【０１４２】
ＣＰＵ１１０は全ての原稿の画像形成が終了したか判断し、終了していなければＳＴ．２３に戻り、残りの画像形成を行う（ＳＴ．３０）。
【０１４３】
画像形成装置本体１００から排紙された用紙は、後端パンチ処理機８００に搬送され、図１０の（８）に示すように用紙搬送方向の後端側（つまり、用紙の表面に対して右側）にパンチ加工が施される。
【０１４４】
その後、用紙は第１後処理装置４００及び第２後処理装置５００に搬送され、各後処理装置においてユーザの要望に合った後処理が施され、排紙トレイ５３０に用紙が図１０の（９）に示すようにフェイスダウンで天地逆向きに排紙される。
【０１４５】
（画像形成システム３の説明）
図１２〜図１４は、画像形成システム３の処理動作を示す。具体的には、図１２は上述した画像形成システム３の構成を示した概略図である。図１３は画像形成装置本体１００の正面を紙面下側としてシステムの上方から見たときの画面及び用紙の向きとパンチ位置との関係を示しており、右側から順に、画像形成装置本体１００から排紙されたとき、先端パンチ処理機２００から排紙されたたき、及び、排紙トレイ５３０に積載されたときをそれぞれ示している。図１４は画像形成システム３の処理動作を示したフローチャートである。
【０１４６】
図１４のフローチャートを用いて画像形成システム３の処理動作を説明する。
【０１４７】
ここで、ＳＴ．３１〜ＳＴ．３２の処理はＳＴ．１１〜ＳＴ．１２と同じであるため説明を省略する。
【０１４８】
ＣＰＵ１１０は、ＲＡＭ１１１に格納されているパンチ位置情報（左側に２箇所）と接続情報から取得した判断結果（パンチ処理機の種類（先端）、反転装置の有無（有））に応じて画像形成部の制御内容を特定する（ＳＴ．３３）。ここでは、パンチ位置が左側に設定されているのでＳＴ．３４へ進む。
【０１４９】
ＣＰＵ１１０は、用紙の左側にパンチ加工を施すべくＡ４縦の用紙を給紙し、用紙の両面に画像形成を施す。具体的には、ＣＰＵ１１０は、読み込んだ原稿裏面の画像データを回転させずに用紙の第１面に形成し、続いて用紙搬送路Ｒ１０３で用紙の表裏反転が行われた後、原稿表面の画像データを用紙の第２面に形成する（ＳＴ．３４）。その際に、収納部１２１、１２２にＡ４縦の用紙が無い場合には、ＣＰＵ１１０は操作部１５０にユーザに対して用紙の補給を促す画面を表示する。
【０１５０】
上述のように画像形成された用紙は、図１３の（１）に示すようにフェイスアップで奥側を天に画像形成装置本体１００から排紙される（ＳＴ．３５）。
【０１５１】
ＣＰＵ１１０は全ての原稿の画像形成が終了したか判断し、終了していなければＳＴ．３３に戻り、残りの画像形成を行う（ＳＴ．４０）。
【０１５２】
画像形成装置本体１００から排紙された用紙は、先端パンチ処理機２００に搬送され、図１３の（２）に示すように用紙搬送方向の先端側（つまり、用紙の表面に対して左側）にパンチ加工が施される。
【０１５３】
パンチ加工が施された用紙は反転装置３００に搬送され、用紙の表裏反転が施される。つまり、用紙の向きはフェイスダウンで奥側が天になる。
【０１５４】
その後、用紙は第１後処理装置及び第２後処理装置に搬送され、各後処理装置においてユーザの要望に合った後処理が施され、排紙トレイ５３０に用紙が図１３の（３）に示すようにフェイスダウンで奥側を天に排紙される。
【０１５５】
もしパンチ位置が上側（例えば、上側に２箇所）に設定された場合は、ＳＴ．３３において、ＣＰＵ１１０はパンチ位置が上側に設定されていると判断し、ＳＴ．３６へ進む。
【０１５６】
ＣＰＵ１１０は、用紙の上側にパンチ加工を施すべくＡ４横の用紙を給紙し、画像形成を施す。具体的には、ＣＰＵ１１０は、読み込んだ原稿裏面の画像データを左に９０度回転させて用紙の第１面に形成し、続いて用紙搬送路Ｒ１０３で用紙の表裏反転が行われた後、左に９０度回転させた原稿表面の画像データを用紙の第２面に形成する（ＳＴ．３６）。その際に、収納部１２１、１２２にＡ４横の用紙が無い場合には、ＣＰＵ１１０は操作部１５０にユーザに対して用紙の補給を促す画面を表示する。
【０１５７】
上述のように画像形成された用紙は、図１３の（４）に示すようにフェイスアップで用紙搬送方向を天に画像形成装置本体１００から排紙される（ＳＴ．３７）。
【０１５８】
ＣＰＵ１１０は全ての原稿の画像形成が終了したか判断し、終了していなければＳＴ．３３に戻り、残りの画像形成を行う（ＳＴ．４０）。
【０１５９】
画像形成装置本体１００から排紙された用紙は、先端パンチ処理機２００に搬送され、図１３の（５）に示すように用紙搬送方向の先端側（つまり、用紙の表面に対して上側）にパンチ加工が施される。
【０１６０】
パンチ加工が施された用紙は反転装置３００に搬送され、用紙の表裏反転が施される。つまり、用紙の向きはフェイスダウンで用紙搬送方向が地になる。
【０１６１】
その後、用紙は第１後処理装置及び第２後処理装置に搬送され、各後処理装置においてユーザの要望に合った後処理が施され、排紙トレイ５３０に用紙が図１３の（６）に示すようにフェイスダウンで用紙搬送方向を地に排紙される。
【０１６２】
もしパンチ位置が右側（例えば、右側に２箇所）に設定された場合は、ＳＴ．３３において、ＣＰＵ１１０はパンチ位置が右側に設定されていると判断し、ＳＴ．３８へ進む。
【０１６３】
ＣＰＵ１１０は、用紙の右側にパンチ加工を施すべくＡ４縦の用紙を給紙し、用紙の両面に画像形成を施す。具体的には、ＣＰＵ１１０は、読み込んだ原稿裏面の画像データを１８０度回転させて用紙の第１面に形成し、続いて用紙搬送路Ｒ１０３で用紙の表裏反転が行われた後、１８０度回転された原稿表面の画像データを用紙の第２面に形成する（ＳＴ．３８）。その際に、収納部１２１、１２２にＡ４縦の用紙が無い場合には、ＣＰＵ１１０は操作部１５０にユーザに対して用紙の補給を促す画面を表示する。
【０１６４】
上述のように画像形成された用紙は、図１３の（７）に示すようにフェイスアップで天地逆向きに画像形成装置本体１００から排紙される（ＳＴ．３９）。
【０１６５】
ＣＰＵ１１０は全ての原稿の画像形成が終了したか判断し、終了していなければＳＴ．３３に戻り、残りの画像形成を行う（ＳＴ．４０）。
【０１６６】
画像形成装置本体１００から排紙された用紙は、先端パンチ処理機２００に搬送され、図１３の（８）に示すように用紙搬送方向の先端側（つまり、用紙の表面に対して右側）にパンチ加工が施される。
【０１６７】
パンチ加工が施された用紙は反転装置３００に搬送され、用紙の表裏反転が施される。つまり、用紙の向きはフェイスダウンで天地逆向きになる。
【０１６８】
その後、用紙は第１後処理装置４００及び第２後処理装置５００に搬送され、各後処理装置においてユーザの要望に合った後処理が施され、排紙トレイ５３０に用紙が図１３の（９）に示すようにフェイスダウンで天地逆向きに排紙される。
【０１６９】
（画像形成システム４の説明）
図１５〜図１７は、画像形成システム４の処理動作を示す。具体的には、図１５は上述した画像形成システム４の構成を示した概略図である。図１６は画像形成装置本体１００の正面を紙面下側としてシステムの上方から見たときの画面及び用紙の向きとパンチ位置との関係を示しており、右側から順に、画像形成装置本体１００から排紙されたとき、後端パンチ処理機８００から排紙されたとき、及び、排紙トレイ５３０に積載されたときをそれぞれ示している。図１７は画像形成システム３の処理動作を示したフローチャートである。
【０１７０】
図１７のフローチャートを用いて画像形成システム４の処理動作を説明する。
【０１７１】
ここで、ＳＴ．４１〜ＳＴ．４２の処理はＳＴ．１１〜ＳＴ．１２と同じであるため説明を省略する。
【０１７２】
ＣＰＵ１１０は、ＲＡＭ１１１に格納されているパンチ位置情報（左側に２箇所）と接続情報から取得した判断結果（パンチ処理機の種類（後端）、反転装置の有無（有））に応じて画像形成部の制御内容を特定する（ＳＴ．４３）。ここでは、パンチ位置が左側に設定されているのでＳＴ．４４へ進む。
【０１７３】
ＣＰＵ１１０は、用紙の左側にパンチ加工を施すべくＡ４縦の用紙を給紙し、用紙の両面に画像形成を施す。具体的には、ＣＰＵ１１０は、読み込んだ原稿裏面の画像データを１８０度回転させて用紙の第１面に形成し、続いて用紙搬送路Ｒ１０３で用紙の表裏反転が行われた後、１８０度回転された原稿表面の画像データを用紙の第２面に形成する（ＳＴ．４４）。その際に、収納部１２１、１２２にＡ４縦の用紙が無い場合には、ＣＰＵ１１０は操作部１５０にユーザに対して用紙の補給を促す画面を表示する。
【０１７４】
上述のように画像形成された用紙は、図１６の（１）に示すようにフェイスアップで天地逆向きに画像形成装置本体１００から排紙される（ＳＴ．４５）。
【０１７５】
ＣＰＵ１１０は全ての原稿の画像形成が終了したか判断し、終了していなければＳＴ．４３に戻り、残りの画像形成を行う（ＳＴ．５０）。
【０１７６】
画像形成装置本体１００から排紙された用紙は、後端パンチ処理機８００に搬送され、図１６の（２）に示すように用紙搬送方向の後端側（つまり、用紙の表面に対して左側）にパンチ加工が施される。
【０１７７】
パンチ加工が施された用紙は反転装置３００に搬送され、用紙の表裏反転が施される（ＳＴ．８３）。つまり、用紙の向きはフェイスダウンで天地逆向きになる。
【０１７８】
その後、用紙は第１後処理装置４００及び第２後処理装置５００に搬送され、各後処理装置においてユーザの要望に合った後処理が施され、排紙トレイ５３０に用紙が図１６の（３）に示すようにフェイスダウンで天地逆向きに排紙される。
【０１７９】
もしパンチ位置が上側（例えば、上側に２箇所）に設定された場合は、ＳＴ．４３において、ＣＰＵ１１０はパンチ位置が上側に設定されていると判断し、ＳＴ．４６へ進む。
【０１８０】
ＣＰＵ１１０は、用紙の上側にパンチ加工を施すべくＡ４横の用紙を給紙し、画像形成を施す。具体的には、ＣＰＵ１１０は、読み込んだ原稿裏面の画像データを右に９０度回転させて用紙の第１面に形成し、続いて用紙搬送路Ｒ１０３で用紙の表裏反転が行われた後、右に９０度回転させた原稿表面の画像データを用紙の第２面に形成する（ＳＴ．４６）。その際に、収納部１２１、１２２にＡ４横の用紙が無い場合には、ＣＰＵ１１０は操作部１５０にユーザに対して用紙の補給を促す画面を表示する。
【０１８１】
上述のように画像形成された用紙は、図１６の（４）に示すようにフェイスアップで用紙搬送方向を地に画像形成装置本体１００から排紙される（ＳＴ．４７）。
【０１８２】
ＣＰＵ１１０は全ての原稿の画像形成が終了したか判断し、終了していなければＳＴ．４３に戻り、残りの画像形成を行う（ＳＴ．５０）。
【０１８３】
画像形成装置本体１００から排紙された用紙は、後端パンチ処理機８００に搬送され、図１６の（５）に示すように用紙搬送方向の後端側（つまり、用紙の表面に対して上側）にパンチ加工が施される。
【０１８４】
パンチ加工が施された用紙は反転装置３００に搬送され、用紙の表裏反転が施される。つまり、用紙の向きはフェイスダウンで用紙搬送方向が天になる。
【０１８５】
その後、用紙は第１後処理装置及び第２後処理装置に搬送され、各後処理装置においてユーザの要望に合った後処理が施され、排紙トレイ５３０に用紙が図１６の（６）に示すようにフェイスダウンで用紙搬送方向を天に排紙される。
【０１８６】
もしパンチ位置が右側（例えば、右側に２箇所）に設定された場合は、ＳＴ．４３において、ＣＰＵ１１０はパンチ位置が右側に設定されていると判断し、ＳＴ．４８へ進む。
【０１８７】
ＣＰＵ１１０は、用紙の右側にパンチ加工を施すべくＡ４縦の用紙を給紙し、用紙の両面に画像形成を施す。具体的には、ＣＰＵ１１０は、読み込んだ原稿裏面の画像データを回転させずに用紙の第１面に形成し、続いて用紙搬送路Ｒ１０３で用紙の表裏反転が行われた後、原稿表面の画像データを用紙の第２面に形成する（ＳＴ．４８）。その際に、収納部１２１、１２２にＡ４縦の用紙が無い場合には、ＣＰＵ１１０は操作部１５０にユーザに対して用紙の補給を促す画面を表示する。
【０１８８】
上述のように画像形成された用紙は、図１６の（７）に示すようにフェイスアップで奥側を天に画像形成装置本体１００から排紙される（ＳＴ．４９）。
【０１８９】
ＣＰＵ１１０は全ての原稿の画像形成が終了したか判断し、終了していなければＳＴ．４３に戻り、残りの画像形成を行う（ＳＴ．５０）。
【０１９０】
画像形成装置本体１００から排紙された用紙は、後端パンチ処理機８００に搬送され、図１６の（８）に示すように用紙搬送方向の後端側（つまり、用紙の表面に対して右側）にパンチ加工が施される。
【０１９１】
パンチ加工が施された用紙が反転装置３００に搬送され、用紙の表裏反転が施される（ＳＴ．８３）。つまり、用紙の向きはフェイスダウンで奥側が天になる。
【０１９２】
その後、用紙は第１後処理装置４００及び第２後処理装置５００に搬送され、各後処理装置においてユーザの要望に合った後処理が施され、排紙トレイ５３０に用紙が図１６の（９）に示すようにフェイスダウンで奥側を天に排紙される（ＳＴ．８４）。
【０１９３】
なお、本発明の実施形態では原稿トレイ１４２に原稿をセットしたが、本発明の画像形成装置本体１００及び画像形成システム１〜４はこれに限定されることはなく、直接、画像形成装置本体１００の読取台（図示せず）に原稿をセットしても良い。また、画像形成データを図示しないネットワークインターフェースを介して接続されているパーソナルコンピュータから取り込んでも良い。
【０１９４】
また、本発明の実施形態では、画像が形成された用紙に対してパンチ加工を行う場合について説明したが、本発明の実施形態はこれに限定されることはなく、例えば、用紙にステイプル加工を行う場合にも適用できる。
【０１９５】
以上、本発明の実施形態によれば、画像形成装置本体は直接的又は間接的に接続されたパンチ処理機の種類と反転装置の有無を判断し、ユーザが設定したパンチ位置に応じた画像を用紙に形成する。これにより、ユーザは煩雑な設定をせずに、指定したパンチ位置へパンチ加工を施し、且つ、用紙をページ順に排紙トレイに排紙させることができるため、ユーザの作業効率が向上され、ミスプリントが低減される。
【０１９６】
よって、ユーザが画像形成装置本体に接続されたパンチ処理機の種類や反転装置の有無を意識せずにパンチ加工を施すことができる画像形成装置本体又は画像形成システムを提供することができる。
【符号の説明】
【０１９７】
１００  画像形成装置本体
１２１、１２２  収納部
１３０  画像形成部
１４０  画像読取部
１４１  自動原稿搬送部
１４２  原稿トレイ
１５０  操作部
１９１  排紙ローラ
１９２  排紙口
Ｒ１０１、Ｒ１０２、Ｒ１０３  用紙搬送路
２００  先端パンチ処理機
３００  反転装置
４００  第１後処理装置
５００  第２後処理装置
５３０  排紙トレイ
６００  表示画面
７００  パンチ位置設定画面
８００  後端パンチ処理機
【図１】
2010188607.tif 000003
【図２】
2010188607.tif 000004
【図３】
2010188607.tif 000005
【図４】
2010188607.tif 000006
【図５】
2010188607.tif 000007
【図６】
2010188607.tif 000008
【図７】
2010188607.tif 000009
【図８】
2010188607.tif 000010
【図９】
2010188607.tif 000011
【図１０】
2010188607.tif 000012
【図１１】
2010188607.tif 000013
【図１２】
2010188607.tif 000014
【図１３】
2010188607.tif 000015
【図１４】
2010188607.tif 000016
【図１５】
2010188607.tif 000017
【図１６】
2010188607.tif 000018
【図１７】
2010188607.tif 000019
【図１８】
2010188607.tif 000020